(57)【要約】【課題】指紋認証のための特別な部材の点数を削減する。【解決手段】制御装置（１）は、サブカメラ（３）を、指紋認証を行うために撮影する指紋認証モードで動作させるか、上記指紋認証モードと異なるモードで動作させるかを決定するモード決定部（１２）と、上記指紋認証モードでサブカメラ（３）を動作させると決定した場合に、サブカメラ（３）が撮影する撮影画像に含まれる指紋の像と、予め登録された指紋パターンとを比較して指紋認証を行う指紋認証部（１４）と、を備える。【選択図】図１
2019164707.tif 000002
【特許請求の範囲】
【請求項１】
少なくとも１つの撮影装置と、少なくとも１つの制御装置とを備えた電子機器であって、
上記制御装置は、
上記撮影装置を、指紋認証を行うために撮影する指紋認証モードで動作させるか、上記指紋認証モードと異なるモードで動作させるかを決定し、
上記指紋認証モードで上記撮影装置を動作させると決定した場合に、上記撮影装置が撮影する撮影画像に含まれる指紋の像と、予め登録された指紋パターンとを比較して指紋認証を行うことを特徴とする電子機器。
【請求項２】
上記撮影装置が、表示画面側にある被写体を撮影するためのカメラであることを特徴とする請求項１に記載の電子機器。
【請求項３】
上記カメラは、少なくとも撮像素子およびレンズを備えており、
上記レンズに対して上記撮像素子の反対側には、上記レンズの受光側を覆う透光性部材が設けられており、
上記カメラは、上記透光性部材に指が接触または近接した状態で上記指紋の像を撮像することが可能になっていることを特徴とする請求項２に記載の電子機器。
【請求項４】
上記制御装置は、
上記電子機器の状態の検出結果に応じて、上記指紋認証モードで動作させるか、上記モードで動作させるかを決定することを特徴とする請求項１から３までの何れか１項に記載の電子機器。
【請求項５】
上記電子機器は、表示画面を備えており、
上記撮影装置が、上記電子機器における上記表示画面の上部側の辺付近に設けられており、
上記制御装置は、
上記表示画面の上記上部側の辺の側が下側になったことを検知した場合に、上記指紋認証モードで上記撮影装置を動作させると決定することを特徴とする請求項４に記載の電子機器。
【請求項６】
上記制御装置は、上記撮影画像の中に画像面積の所定％以上を占めるオブジェクトが存在するか否かを判定し、上記オブジェクトが存在する場合に、上記オブジェクト上に指紋パターンが存在するか否かを判定することを特徴とする請求項１から５までの何れか１項に記載の電子機器。
【請求項７】
少なくとも１つの撮影装置を備えた電子機器の制御装置であって、
上記撮影装置を、指紋認証を行うために撮影する指紋認証モードで動作させるか、上記指紋認証モードと異なるモードで動作させるかを決定するモード決定部と、
上記指紋認証モードで上記撮影装置を動作させると決定した場合に、上記撮影装置が撮影する撮影画像に含まれる指紋の像と、予め登録された指紋パターンとを比較して指紋認証を行う指紋認証部と、を備えることを特徴とする制御装置。
【請求項８】
請求項７に記載の制御装置としてコンピュータを機能させるための制御プログラムであって、上記モード決定部および上記指紋認証部としてコンピュータを機能させるための制御プログラム。
【請求項９】
少なくとも１つの撮影装置を備えた電子機器の制御方法であって、
上記撮影装置を、指紋認証を行うために撮影する指紋認証モードで動作させるか、上記指紋認証モードと異なるモードで動作させるかを決定するモード決定ステップと、
上記指紋認証モードで上記撮影装置を動作させると決定した場合に、上記撮影装置が撮影する撮影画像に含まれる指紋の像と、予め登録された指紋パターンとを比較して指紋認証を行う指紋認証ステップと、を含むことを特徴とする制御方法。
【発明の詳細な説明】
【技術分野】
【０００１】
本発明は、電子機器、該電子機器の制御装置、該電子機器の制御プログラムおよび該電子機器の制御方法に関する。
【背景技術】
【０００２】
近年、カメラ機能の付いたスマートフォンが広く流通しており、画像を送受信しながら電話を利用したり、ＷＥＢサイトを閲覧したりすることが可能になっている。このようなスマートフォンは液晶画面にスルー画像を表示させながら被写体の撮影を行うことが可能になっている。
【０００３】
一方、スマートフォンは、電話番号や通信記録等の個人情報が記憶されているために、これらの情報に対するセキュリティや他人の無断使用の禁止が要求される場合もある。また、電子スチルカメラにおいても同様に無断使用や撮影画像等に関しセキュリティが要求されることがある。
【０００４】
特許文献１には、上記の問題を解決すべく、使用の制限および記録情報の保護を簡単な構成で可能とする携帯電話機が開示されている。この携帯電話機は、レンズ部と撮像素子とを有しカメラ機能を備え、筐体内に収納可能であり移動させたときに使用者の指を当てることのできる指当て部材と、指当て部材に当てられた指の指紋をレンズ部と撮像素子とにより撮影し、その撮影画像に基づいて前記指紋が登録された指紋と同じであるか否かを照合する指紋照合部とを具備する。また、指紋照合部で指紋が登録指紋と同じであるとされたときに電源スイッチ等の制限機能が使用可能となる。
【先行技術文献】
【特許文献】
【０００５】
【特許文献１】特開２００２−７７６８４号公報（２００２年３月１５日公開）
【発明の概要】
【発明が解決しようとする課題】
【０００６】
しかしながら、上記特許文献１に記載された携帯電話機では、指紋認証のためにレンズ部および指当て部材などの特別な部材を設けており、このような指紋認証のための特別な部材の点数が多いという問題点がある。
【０００７】
本発明の一態様は、上記の問題点に鑑みて為されたものであり、その目的は、指紋認証のための特別な部材の点数を削減することができる電子機器等を実現することにある。
【課題を解決するための手段】
【０００８】
上記の課題を解決するために、本発明の一態様に係る電子機器は、少なくとも１つの撮影装置と、少なくとも１つの制御装置とを備えた電子機器であって、上記制御装置は、上記撮影装置を、指紋認証を行うために撮影する指紋認証モードで動作させるか、上記指紋認証モードと異なるモードで動作させるかを決定し、上記指紋認証モードで上記撮影装置を動作させると決定した場合に、上記撮影装置が撮影する撮影画像に含まれる指紋の像と、予め登録された指紋パターンとを比較して指紋認証を行う構成である。
【０００９】
また、上記の課題を解決するために、本発明の一態様に係る電子機器の制御装置は、少なくとも１つの撮影装置を備えた電子機器の制御装置であって、上記撮影装置を、指紋認証を行うために撮影する指紋認証モードで動作させるか、上記指紋認証モードと異なるモードで動作させるかを決定するモード決定部と、上記指紋認証モードで上記撮影装置を動作させると決定した場合に、上記撮影装置が撮影する撮影画像に含まれる指紋の像と、予め登録された指紋パターンとを比較して指紋認証を行う指紋認証部と、を備える構成である。
【００１０】
また、上記の課題を解決するために、本発明の一態様に係る電子機器の制御方法は、少なくとも１つの撮影装置を備えた電子機器の制御方法であって、上記撮影装置を、指紋認証を行うために撮影する指紋認証モードで動作させるか、上記指紋認証モードと異なるモードで動作させるかを決定するモード決定ステップと、上記指紋認証モードで上記撮影装置を動作させると決定した場合に、上記撮影装置が撮影する撮影画像に含まれる指紋の像と、予め登録された指紋パターンとを比較して指紋認証を行う指紋認証ステップと、を含む方法である。
【発明の効果】
【００１１】
本発明の一態様によれば、指紋認証のための特別な部材の点数を削減することができるという効果を奏する。
【図面の簡単な説明】
【００１２】
【図１】本発明の実施の一形態に係る携帯端末の概要構成を示すブロック図である。
【図２】上記電子機器の動作の流れを示すフローチャートである。
【図３】（ａ）は、従来の携帯端末の外観を示す模式図であり、（ｂ）は、本発明の実施の一形態に係る携帯端末の外観を示す模式図であり、（ｃ）は、上記本発明の実施の一形態に係る携帯端末の上下を逆転させた状態を示す模式図である。
【図４】上記携帯端末が備える撮影装置の断面構造を示す図である。
【発明を実施するための形態】
【００１３】
〔実施形態１〕
以下、本発明の一実施形態について、詳細に説明する。図１に示すように本発明の実施形態１に係る携帯端末（電子機器）１０は、制御装置１、記憶装置２、サブカメラ（撮影装置）３、タッチパネル４、モーションセンサ５、グリップセンサ６、サイドキー（切り替えボタン）７、マイク（音声入力装置）８、およびスピーカ９を備える。なお、サブカメラ３と制御装置１とは単数であっても良いし、複数であっても良い。
【００１４】
なお、携帯端末１０は、上記のサブカメラ３の他に、メインカメラ（不図示）を備えているものとするが、メインカメラを備えていなくても良い。
【００１５】
また、メインカメラ（アウトカメラ）は、タッチパネル４（表示画面）の反対側にある被写体を撮影するためのカメラであり、サブカメラ（インカメラ）は、タッチパネル４側にある被写体（例えば、携帯端末１０を保持するユーザ自身の顔）を撮影するためのカメラである。
【００１６】
携帯端末１０は、画像、音声、動画等を記録する録画機能、サブカメラ３等による撮影機能、およびデータの送受信を行う通信機能を有する、携帯電話機、ＰＨＳ（登録商標）端末、ＰＤＡ（Personal Digital Assistant）あるいはパーソナルコンピュータ（ＰＣ）等の通信端末装置により構成されている。本実施形態では、携帯端末１０として、サブカメラ３付きのスマートフォンを例に挙げて説明する。なお、本発明を適用可能な電子機器としては、その他、デジタルカメラ等を例示することができる。
【００１７】
本実施形態の携帯端末１０は、サブカメラ３で指紋認証を行うために指紋を撮影する指紋認証モードで動作させるか、上記指紋認証モードと異なるモード（例えば、通常モードや被写体自動選択モード）とを切り替えることが可能になっている。
【００１８】
指紋認証モードとは、サブカメラ３の近くの位置に存在する指紋を撮影し、生成された撮影画像から指紋パターンを抽出し、抽出した指紋パターンと、記憶装置２に予め記録（登録）されている指紋パターンとを比較して指紋認証を行うモードである。
【００１９】
また、指紋認証モードと異なるモードは、指紋認証モードと異なるモードであれば、どのようなモードであっても良い。通常モードとは、例えば、より中心に位置する被写体をフォーカスするモードであり、通常、サブカメラ３から離れた位置に存在する被写体を撮影する。被写体自動選択モードとは、例えば、フォーカスする被写体を自動的に選択するモードである。
【００２０】
制御装置１は、携帯端末１０の各部の動作を統括的に制御するものであり、撮影処理部１１、モード決定部１２、指紋検出部１３、指紋認証部１４、指紋パターン登録部１５、センサ制御部１６、端末状態特定部１７、入力受付部１８、および音声認識部１９を備える。
【００２１】
撮影処理部１１は、上述した通常モードでは、サブカメラ３で被写体を撮影した撮影画像を生成する処理を実行する。また、撮影処理部１１は、上述した指紋認証モードでは、サブカメラ３で指紋を撮影した当該指紋の像を含む撮影画像を生成する処理を実行する。
【００２２】
モード決定部１２は、サブカメラ３を、サブカメラ３の近くの位置に存在する指紋を、指紋認証を行うために撮影する指紋認証モードで動作させるか、上記指紋認証モードと異なるモードで動作させるかを決定する。
【００２３】
ここで、図４に基づき、サブカメラ３の具体的構造について説明する。同図に示すように、サブカメラ３は、カメラ窓（透光性部材）３１、レンズ３２、およびカバーガラス３３等の光学系、ならびにＣＣＤ（charge-coupled device）等の撮像素子３４を備える。
【００２４】
また、レンズ３２に対して撮像素子３４の反対側には、レンズ３２の受光側を覆うカメラ窓３１が設けられている。カメラ窓３１は、透光性を有する強化ガラスで構成されている。サブカメラ３は、カメラ窓３１に指が接触または近接した状態でその指紋の像を撮像することが可能になっている。
【００２５】
指紋検出部１３は、指紋の像を含む撮影画像から指紋を検出する。具体的には、撮影画像の中に画像面積のＡ％を占めるオブジェクトが存在するか否かを判定する。この結果、上記オブジェクトが存在する場合に、上記オブジェクト上に指紋パターンが存在するか否かを判定する。
【００２６】
より具体的には、撮影画像の中に画像面積の５０％以上のオブジェクトがある場合に、オブジェクト内に指紋相当の１ｍｍ以下の細い線の集合があるかどうかによって、上記オブジェクト上に指紋パターンが存在するか否かを判定しても良い。また、撮影画像の中に画像面積の５０％以上のオブジェクトがある場合に、指紋の特徴点（開始点・終始点・分岐点・接合点など）が一定数以上存在しているかどうかによって、上記オブジェクト上に指紋パターンが存在するか否かを判定しても良い。
【００２７】
また、指紋検出部１３は、上記オブジェクト上に指紋パターンが存在する場合、撮影画像から指紋パターンを抽出（検出）する。指紋認証部１４は、サブカメラ３が撮影する撮影画像に含まれる指紋の像と、予め登録された指紋パターンとを比較して指紋認証を行う。具体的には、撮影画像から抽出した指紋パターンと、予め登録された指紋パターンとのパターンマッチングを行い、Ｂ％以上一致するか否かを判定する。この結果、Ｂ％以上一致した場合、指紋認証に成功したものとする。一方、Ｂ％未満しか一致しなかった場合、指紋認証に失敗したものとする。
【００２８】
より具体的には、パターンマッチングについては画像比較によるもの、特徴点の一致具合を比較するものなどが考えられ、比較も完全一致ではなく５０％ないし８０％以上が一致した場合は同一パターンと認識する。
【００２９】
また、指紋パターン登録部１５は、サブカメラ３が撮影した撮影画像に含まれる指紋の像を上記指紋パターンとして記憶装置２に記録（登録）する。上記構成によれば、携帯端末１０が備えるサブカメラ３で指紋を撮影することにより指紋パターンを登録することができる。なお、指紋パターンの登録方法としては、指紋画像自体を保存しておく方法や、指紋の特徴点の位置情報を登録しておく方法などを例示することができる。
【００３０】
センサ制御部１６は、モーションセンサ５およびグリップセンサ６の動作を制御する。モーションセンサ５およびグリップセンサ６の検知結果は、端末状態特定部１７に通知される。
【００３１】
端末状態特定部１７は、モーションセンサ５の検知結果、またはグリップセンサ６の検知結果を参照して携帯端末１０の状態を特定する。具体的には、サブカメラ３が携帯端末１０におけるタッチパネル４の上部側の辺付近に設けられている場合〔図３の（ｂ）参照〕、携帯端末１０におけるタッチパネル４の上記上部側の辺の側が下側（すなわち、携帯端末１０におけるサブカメラ３の位置が下側）になったかどうかを特定する〔図３の（ｃ）参照〕。
【００３２】
端末状態特定部１７が、携帯端末１０におけるサブカメラ３の位置が下側になったことを検知した場合、モード決定部１２は、上記指紋認証モードで上記撮影装置を動作させると決定する。上記構成によれば、携帯端末１０におけるサブカメラ３の位置を下側にするという簡単な操作で通常モードから指紋認証モードに切り替えることができる。
【００３３】
入力受付部１８は、タッチパネル４（入力装置４２）に対する入力があったか否か、およびサイドキー（切り替えボタン）７の押下による入力があったか否かを特定する。サイドキー７は、上記通常モードから上記指紋認証モードに切り替えるための切り替えボタンである。
【００３４】
入力受付部１８が、サイドキー７が押下されたことを検知した場合、モード決定部１２は、上記指紋認証モードで上記撮影装置を動作させる。上記構成によれば、サイドキー７の押下という簡単な操作で、通常モードから指紋認証モードに切り替えることができる。
【００３５】
なお、指紋認証モードへの切り替えのトリガとしては、サイドキー７の押下の検出が、上述した端末状態特定部１７による携帯端末１０の状態の変化（例えば、上下反転）の検出よりも優先される。
【００３６】
音声認識部１９は、マイク８で集音した音声情報について音声認識を行う。具体的には、マイク８は、指紋認証を行うことを指令する指令音声の入力を受付ける。マイク８が上記指令音声の入力を受付け、音声認識部１９が、上記指令音声を認識した場合、モード決定部１２は、上記指紋認証モードで上記撮影装置を動作させる。上記構成によれば、指紋認証を行うことを指令する指令音声の発話という簡単な操作で、通常モードから指紋認証モードに切り替えることができる。
【００３７】
なお、指紋認証モードへの切り替えのトリガとしては、指令音声の入力の受付が、上述した端末状態特定部１７による携帯端末１０の状態の変化（例えば、上下反転）の検出よりも優先される。
【００３８】
上述した構成を備える携帯端末１０によれば、携帯端末１０が備えるサブカメラ３を用いて指紋認証を行うことが可能である。すなわち、上記構成では、サブカメラ３を通常の撮影用と指紋認証用とに兼用可能としている。このため、指紋認証のための特別な部材の点数を削減することができる。記憶装置２には、上述した指紋パターンや動作モードの種類などが記録されている。
【００３９】
タッチパネル４は、表示装置４１および入力装置４２を含む。表示装置４１には、例えば、液晶パネルが使用される。但し、表示装置４１に使用される表示パネルは、液晶パネルに限定されるものではなく、有機ＥＬ（エレクトロルミネッセンス）パネル、無機ＥＬパネル、およびプラズマパネル等であってもよい。また、入力装置４２は、例えば、静電容量方式の入力装置であるが、これに限られるものではなく、例えば、抵抗膜方式、赤外線方式、超音波方式、または電磁誘導結合方式の入力装置であってもよい。
【００４０】
モーションセンサ５の例としては、加速度センサ、ジャイロセンサおよび地磁気センサを挙示することができる。加速度センサは、携帯端末１０の向き、および携帯端末１０自体の加速度を検出するセンサである。ここで、携帯端末１０自体の加速度とは、例えば携帯端末１０自体が移動することで示される単位時間当たりの速度変化のことである。
【００４１】
また、加速度センサは、携帯端末１０の位置や姿勢を検出するための３次元の加速度センサである。加速度センサは、所定のタイミング、または所定のサンプリング間隔で、携帯端末１０における基準の姿勢に対して定義されたＸ方向、Ｙ方向およびＺ方向の各々の加速度を測定する。加速度センサにて検出された加速度は、センサ制御部１６に入力される。
【００４２】
ジャイロセンサ（角速度センサ）は、携帯端末１０自体のＸ方向またはＹ方向への動きを検出する。ジャイロセンサは、例えば、携帯端末１０自体のＸ方向またはＹ方向の回転の動きを検出する。ジャイロセンサにて検出された携帯端末１０のＸ方向またはＹ方向の回転の動きは、センサ制御部１６に入力される。
【００４３】
地磁気センサは地磁気を測定して地磁気値（Ｍｘ，Ｍｙ，Ｍｚ）を検出する。地磁気センサが検出した地磁気値は、センサ制御部１６に入力される。
【００４４】
グリップセンサ６は、例えば、携帯端末１０の側面に配置し、側面のどの辺りが触れているかでサブカメラ３が上部（上側）にある状態で持っているか下部（下側）にある状態で持っているかを判定する。グリップセンサ６の検出結果により、サブカメラ３が下部にある状態で持っていると判定された場合、通常モードから指紋認証モードに切り替える。
【００４５】
マイク８は、集音機能を有する集音器である。スピーカ９は、入力される音声信号に応じて、当該スピーカ９の備える振動板を振動させることにより、音声信号の示す音声を出力する。
【００４６】
（携帯端末の動作）
次に、図２に示すフローチャートを参照して携帯端末１０の動作の流れについて説明する。携帯端末１０の電源をＯＮにして動作を開始し、ステップＳ（以下、「ステップ」は省略する）１０１に進む。
【００４７】
Ｓ１０１では、モード決定部１２が、例えば指紋認証モードと異なるモード（例えば、通常モードや被写体自動選択モード）から指紋認証モードに切り替えるモード切替動作が発生したかどうかを確認する。
【００４８】
なお、モード切替動作のトリガの例としては、上述した携帯端末１０の状態の変化（例えば、上下反転）の検出、サイドキー７の押下、音声指令の受付、およびグリップセンサ６によるサブカメラ３が下部にある状態で持っている状態の検出などを例示することができる。換言すれば、上記制御装置１は、携帯端末１０の状態の検出結果に応じて、上記指紋認証モードで動作させるか、指紋認証モードと異なるモードで動作させるかを決定しても良い。
【００４９】
モード決定部１２は、モード切替動作が発生した場合、携帯端末１０を指紋認証モードで動作させると決定する。この結果、モード切替動作が発生していなかった場合は、元（Ｓ１０１）に戻る。一方、モード切替動作が発生した場合、Ｓ１０２に進む。
【００５０】
Ｓ１０２では、撮影処理部１１が検出有効な画面になっているかどうかを確認する。例えば、指紋検出モード有効画面が表示中（ロック解除画面など）である場合、検出有効な画面になっていると判定する。この結果、検出有効な画面になっている場合、Ｓ１０３に進む。一方、検出有効な画面になっていない場合は、元（Ｓ１０２）に戻る。なお、サブカメラ３を指紋検出に用いるシーンの一例として、ロック画面での操作において、指紋検出によるロック解除動作を可能としても良い。
【００５１】
Ｓ１０３では、撮影処理部１１が、サブカメラ３を指紋検出モード（指紋認証モード）として動作させて（サブカメラ３の連続撮影を開始して）、Ｓ１０４に進む。
【００５２】
Ｓ１０４では、指紋検出部１３が、撮影データで画面のＡ％を占めるオブジェクトを検出したか否かを判定する。その結果、上記オブジェクトを検出した場合、Ｓ１０５に進む。一方、上記オブジェクトを検出しなかった場合、Ｓ１０７に進む。
【００５３】
Ｓ１０５では、指紋検出部１３が、オブジェクト上に指紋パターンが存在するか否かを判定する。その結果、指紋パターンが存在する場合、Ｓ１０６に進む。一方、指紋パターンが存在しない場合、Ｓ１０７に進む。
【００５４】
Ｓ１０６では、指紋認証部１４が、撮影データから抽出した指紋パターンと、登録済みの指紋パターンとがＢ％以上一致するか否かを判定する。その結果、Ｂ％以上一致した場合、Ｓ１０８に進む。一方、Ｂ％以上一致しなかった場合、Ｓ１０７に進む。
【００５５】
Ｓ１０８では、制御装置１が、指紋パターン毎に、それぞれの指紋パターンに設定済みの動作を実行して、Ｓ１０８に進む。ここで、指紋パターン毎に、それぞれの指紋パターンに設定済みの動作を実行するとは、ユーザ毎に異なる動作を行わせることも、一人のユーザの指毎に異なる動作を行わせることも意味する。そのため、指紋パターンは、複数のユーザ（家族等）毎に指紋を登録しても良く、また、一人のユーザの中指、人差し指等の指の種類毎に指紋を登録しても良い。
【００５６】
そして、ユーザの指紋が「指紋１」として登録している指紋と一致した場合は例えば「ブラウザアプリ」を起動し、ユーザの指紋が「指紋２」として登録している指紋と一致した場合は例えば「マップアプリ」を起動するなどが考えられる。なお、上記の「指紋パターンに設定済みの動作」は、指紋パターンの登録時に設定画面等からユーザが任意に設定できるものとする。
【００５７】
Ｓ１０７では、モード決定部１２が、モード切替動作が発生したかどうかを確認する。その結果、モード切替動作が発生した場合、Ｓ１１０に進む。一方、モード切替動作が発生していない場合、Ｓ１０４に戻る。
【００５８】
Ｓ１０９では、撮影処理部１１が検出有効な画面になっているかどうかを確認する。この結果、検出有効な画面になっている場合、Ｓ１１０に進む。一方、検出有効な画面になっていない場合は、Ｓ１０４に戻る。
【００５９】
Ｓ１１０では、撮影処理部１１が、サブカメラ３の動作を停止させて、指紋検出モードが終了となる。
【００６０】
（従来技術との比較）
次に、図３の（ａ）は、従来の携帯端末１００の外観を示している。同図に示すように、携帯端末１００は、端末のタッチパネル面側にサブカメラ１０３の他、指紋センサ１０４を備えている。本発明の一実施形態である携帯端末１０では、サブカメラ１０３を指紋センサとして兼用しているので、図３の（ｂ）に示すように、指紋センサを取り除くことができる。このため、領域ＡＲの分だけ、タッチパネル４の占める領域が広がる。
【００６１】
なお、図３の（ｃ）に示すように、携帯端末１０の上下を逆にした場合、指をサブカメラ３上にかざし易くなるため、サブカメラ３を指紋認証に利用し易くなる。
【００６２】
〔実施形態２：ソフトウェアによる実現例〕
携帯端末１０の制御装置１の制御ブロック（特にモード決定部１２、指紋検出部１３、指紋認証部１４、指紋パターン登録部１５、センサ制御部１６、端末状態特定部１７、入力受付部１８、および音声認識部１９）は、集積回路（ＩＣチップ）等に形成された論理回路（ハードウェア）によって実現してもよいし、ソフトウェアによって実現してもよい。
【００６３】
後者の場合、制御装置１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６４】
〔まとめ〕
本発明の態様１に係る電子機器（携帯端末１０）は、少なくとも１つの撮影装置（サブカメラ３）と、少なくとも１つの制御装置（１）とを備えた電子機器であって、上記制御装置は、上記撮影装置を、指紋認証を行うために撮影する指紋認証モードで動作させるか、上記指紋認証モードと異なるモードで動作させるかを決定し、上記指紋認証モードで上記撮影装置を動作させると決定した場合に、上記撮影装置が撮影する撮影画像に含まれる指紋の像と、予め登録された指紋パターンとを比較して指紋認証を行う構成である。上記構成によれば、電子機器が備える撮影装置を用いて指紋認証を行うことが可能である。すなわち、上記構成では、電子機器が備える撮影装置を通常の撮影用と指紋認証用とに兼用可能としている。このため、指紋認証のための特別な部材の点数を削減することができる。なお、指紋認証モードと異なるモードとしては、例えば、より中心に位置する被写体をフォーカスする通常モードや、フォーカスする被写体を自動的に選択する被写体自動選択モードなどを例示することができる。
【００６５】
本発明の態様２に係る電子機器は、上記態様１において、上記撮影装置が、表示画面側にある被写体を撮影するためのカメラであることが好ましい。
【００６６】
本発明の態様３に係る電子機器は、上記態様２において、上記カメラは、少なくとも撮像素子およびレンズを備えており、上記レンズに対して上記撮像素子の反対側には、上記レンズの受光側を覆う透光性部材が設けられており、上記カメラは、上記透光性部材に指が接触または近接した状態で上記指紋の像を撮像することが可能になっていることが好ましい。
【００６７】
本発明の態様４に係る電子機器は、上記態様１〜３の何れかにおいて、上記制御装置は、上記電子機器の状態の検出結果に応じて、上記指紋認証モードで動作させるか、上記モードで動作させるかを決定しても良い。
【００６８】
本発明の態様５に係る電子機器は、上記態様４において、上記電子機器は、表示画面を備えており、上記撮影装置が、上記電子機器における上記表示画面の上部側の辺付近に設けられており、上記制御装置は、上記表示画面の上記上部側の辺の側が下側になったことを検知した場合に、上記指紋認証モードで上記撮影装置を動作させると決定しても良い。上記構成によれば、電子機器に対する撮影装置の位置を下側にするという簡単な操作で通常モードから指紋認証モードに切り替えることができる。
【００６９】
本発明の態様６に係る電子機器は、上記態様１〜５の何れかにおいて、上記制御装置は、上記撮影画像の中に画像面積の所定％以上を占めるオブジェクトが存在するか否かを判定し、上記オブジェクトが存在する場合に、上記オブジェクト上に指紋パターンが存在するか否かを判定することが好ましい。上記構成によれば、撮影画像から指紋パターンを抽出することが可能になる。
【００７０】
本発明の態様７に係る電子機器の制御装置（１）は、少なくとも１つの撮影装置（サブカメラ３）を備えた電子機器（携帯端末１０）の制御装置であって、上記撮影装置を、指紋認証を行うために撮影する指紋認証モードで動作させるか、上記指紋認証モードと異なるモードで動作させるかを決定するモード決定部（１２）と、上記指紋認証モードで上記撮影装置を動作させると決定した場合に、上記撮影装置が撮影する撮影画像に含まれる指紋の像と、予め登録された指紋パターンとを比較して指紋認証を行う指紋認証部（１４）と、を備える構成である。上記構成によれば、上記態様１と同様の効果を得ることができる。
【００７１】
本発明の態様８に係る電子機器の制御方法は、少なくとも１つの撮影装置を備えた電子機器の制御方法であって、上記撮影装置を、指紋認証を行うために撮影する指紋認証モードで動作させるか、上記指紋認証モードと異なるモードで動作させるかを決定するモード決定ステップと、上記指紋認証モードで上記撮影装置を動作させると決定した場合に、上記撮影装置が撮影する撮影画像に含まれる指紋の像と、予め登録された指紋パターンとを比較して指紋認証を行う指紋認証ステップと、を含む方法である。上記方法によれば、上記態様１または７と同様の効果を得ることができる。
【００７２】
本発明の各態様に係る電子機器の制御装置は、コンピュータによって実現してもよく、この場合には、コンピュータを上記制御装置が備える各部（ソフトウェア要素）として動作させることにより上記制御装置をコンピュータにて実現させる制御装置の制御プログラム、およびそれを記録したコンピュータ読み取り可能な記録媒体も、本発明の範疇に入る。
【００７３】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７４】
１    制御装置
３    サブカメラ（撮影装置）
１０    携帯端末（電子機器）
１２    モード決定部
１４    指紋認証部
１５    指紋パターン登録部
【図１】
2019164707.tif 000003
【図２】
2019164707.tif 000004
【図３】
2019164707.tif 000005
【図４】
2019164707.tif 000006